(57)【要約】【課題】  水道のメーターボックス内に簡単に取り付けができながら、漏磁が少なく、水道メータなどに対し影響を与えることのない水の磁気処理装置を提供すること。【解決手段】  ほぼＬ字形の二つの高透磁性フレームを、折り曲げ部材で結合し、当該フレームの自由端にはフレームの直接の接触を防ぐ非透磁性の緩衝部材を取り付け、当該フレームの各辺には、内側に向けて、それぞれのフレーム間では異なるが、同じフレームでは同じ磁極となるよう永久磁石が取り付けられた磁気処理装置本体と、当該磁気処理装置本体のフレーム外側に装着するＬ字形の高透磁性フレームカバーよりなり、使用に際しては、前記磁気処理装置本体の二つのＬ字形のフレームで磁化すべき水の流通する配管を挟み込み、更に前記フレーム同士が直接接触しない辺に前記高透磁性フレームカバーを取り付けることを特徴とする水の磁気処理装置。【選択図】  図１   
2005254155.tif 000002
【特許請求の範囲】
【請求項１】
ほぼＬ字形の二つの高透磁性フレームを、折り曲げ部材で結合し、当該フレームの自由端にはフレームの直接の接触を防ぐ非透磁性の緩衝部材を取り付け、当該フレームの各辺には、内側に向けて、それぞれのフレーム間では異なるが、同じフレームでは同じ磁極となるよう永久磁石が取り付けられた磁気処理装置本体と、当該磁気処理装置本体のフレーム外側に装着するＬ字形の高透磁性フレームカバーよりなり、使用に際しては、前記磁気処理装置本体の二つのＬ字形のフレームで磁化すべき水の流通する配管を挟み込み、更に前記フレーム同士が直接接触しない辺に前記高透磁性フレームカバーを取り付けることを特徴とする水の磁気処理装置。
【請求項２】
折り曲げ部材が、非透磁性材料で形成されているものである請求項第１項記載の水の磁気処理装置。
【請求項３】
折り曲げ部材が、プラスチック製ヒンジである請求項第１項記載の水の磁気処理装置。
【請求項４】
２つのフレームの自由端に取り付けられた非透磁性の緩衝部材が、弾力性を有する高分子材料である請求項第１項または第２項記載の水の磁気処理装置。
【発明の詳細な説明】
【技術分野】
【０００１】
本発明は、水の磁気処理装置に関し、更に詳細には、水道のメーターボックス内に取り付けが可能でありながら、水道メーターなどに対し影響を与えることなく磁気処理水を得ることができ、しかも安価で、取り付けや一時的な脱着が容易な水の磁気処理装置に関する。
【背景技術】
【０００２】
従来より、磁界の中に通した水は、磁気処理水として、配管中の防錆やスケール付着防止効果を有することが知られており、また、洗面や入浴に使用した場合は、石鹸の泡立ちが良く、洗浄力が向上する等の効果が知られている。更に最近では、この磁気処理水は、アトピー性皮膚炎、湿疹、神経性皮膚病にも良いといわれている。
【０００３】
最近では、このような磁気処理水を家庭で簡単に得るため、種々の水の磁気処理装置が提供されている（特許文献１および２）。このうち、特許文献１に記載の水の磁気処理装置は、それぞれＮ極およびＳ極を、内側に向けたコネクタを２つ使用し、これらを組み合わせて水道管内の水に磁界を与えようというものであるが、これらを組み合わせる場合には、Ｎ極同士およびＳ極同士が近くに向かい合うため、斥力が働き、強い力が必要である。このため、２つのコネクタは、ねじ留めすることが必要とされている。また、特許文献２のものは、特許文献１のものと磁石の配位が異なるだけのものであるが、このものは４つのＳ極が向かい合っているため、極めて強い斥力が働くものであってねじ留めが必要であり、しかも、どちらの磁気処理装置も、磁力の漏洩について何ら配慮されておらず、水道メーターへの影響も懸念される。
【０００４】
上記のように、従来の水の磁気処理装置は、設置するに当たり、斥力に抗して組み立てる必要があるため、ねじ留めが必要であった。このため、装置もある程度の大きさが必要となり、例えば、水道のメーターボックス内に取り付けることは困難で、別途取り付け場所を探す必要があった。
【０００５】
【特許文献１】特開平１１−９０４５４号
【特許文献２】特開平１０−２８９７２号
【発明の開示】
【発明が解決しようとする課題】
【０００６】
従って本発明は、水道のメーターボックス内に簡単に取り付けができながら、漏磁が少なく、水道メーターなどに対し影響を与えることのない水の磁気処理装置を提供することをその課題とする。
【課題を解決するための手段】
【０００７】
本発明者は、水道のメーターボックス内の狭い場所に簡単に取り付けることができ、しかも、漏磁の少ない水の磁気処理装置について検討を行っていたところ、磁極の組み合わせおよび高透磁性フレームカバーの使用により、斥力を受けることなく簡単に水道管等に取り付けが可能であり、しかも漏磁の極めて少ない水の磁気処理装置が得られることを見出し、本発明を完成した。
【０００８】
すなわち本発明は、ほぼＬ字形の二つの高透磁性フレームを、折り曲げ部材で結合し、当該フレームの自由端にはフレームの直接の接触を防ぐ非透磁性の緩衝部材を取り付け、当該フレームの各辺には、内側に向けて、それぞれのフレーム間では異なるが、同じフレームでは同じ磁極となるよう永久磁石が取り付けられた磁気処理装置本体と、当該磁気処理装置本体のフレーム外側に装着するＬ字形の高透磁性フレームカバーよりなり、使用に際しては、前記磁気処理装置本体の二つのＬ字形のフレームで磁化すべき水の流通する配管を挟み込み、更に前記フレーム同士が直接接触しない辺に前記高透磁性フレームカバーを取り付けることを特徴とする水の磁気処理装置である。
【発明の効果】
【０００９】
本発明の磁気処理装置本体は、異なる磁極を内側に向けた状態の高透磁性フレームを、結合したものであるので、これらフレームで水道管等を挟み込む場合に斥力が発生せず、磁力によりフレームの両端が引き合うので、ねじ留め等は不要である。そして、挟み込んだ後に、フレーム同士が直接接触しない辺にＬ字形の高透磁性フレームカバーを取り付けることにより、２つのフレームが全体として一つの磁石として働き、２つのフレームの磁石間でのみ磁力が働くので、水道管内を流れる水に対する磁力は高まる。一方、水の磁気処理装置から外へ漏れる磁力線は極めて少なくなるので、例えば、水道のメーターボックス内の水道メーター等への影響は、ほとんどなくなる。
【発明を実施するための最良の形態】
【００１０】
以下、本発明の水の磁気処理装置について、その好ましい形態の一例を示す図面と共に説明を行う。
【００１１】
図１は、本発明の水の磁気処理装置の取り付け前の平面図であり、図２はその斜視図である。図中、１は水の磁気処理装置本体、２は高透磁フレーム、３は非透磁性折り曲げ部材、４は永久磁石、５は非透磁性緩衝部材、６は水道管である。
【００１２】
本発明の水の磁気処理装置本体１を構成する高透磁フレーム（以下、「フレーム」という）２は、ヨークとも呼ばれるものであり、高透磁性材料、例えば、鉄、ニッケル、コバルト等、特に好ましくは安価な鉄で形成される。このフレーム２は、ほぼＬ字形で、その一端が折り曲げ部材３により結合されており、２つのフレーム２により、例えば水道管を挟み込むロの字型を形成する。このフレーム２の幅は特に制約されるものではないが、例えば、メーターボックス中に設置する場合などでは、幅が狭いほど好ましく、例えば、２０ｍｍないし５０ｍｍ程度の幅であることが好ましい。
【００１３】
また、２つのフレーム２を結合する折り曲げ部材３は、非透磁性の材料で形成されていることが好ましく、例えば、プラスチック材料で形成されたヒンジ等が使用される。更に、各フレーム２の連結部３と反対側の自由端には、非透磁性の緩衝部材５が取り付けられており、フレーム同士の直接の接触を防いでいる。この緩衝部材５としては、ゴムや、発泡性樹脂、軟質プラスチック材料等が使用される。これらの緩衝部材５は、取り付け作業時に容易にフレーム２を開くことができ、また、フレーム２を閉じる際には、誤って指を挟み込んだとしても傷つけることがなく、安全性を確保できるものである。
【００１４】
上記フレーム２の各辺の内側には、永久磁石４が取り付けられている。この磁石は、その磁力が高いほど好ましく、例えば、ネオジウム合金系永久磁石、フェライト系永久磁石等が使用される。また、この永久磁石４の磁極は、それぞれのフレーム２間では異なるが、一つのフレームでは、同じ磁極となるように取り付けられる。すなわち、一方のフレームでは、共に中央にＮ極が向いているのに対し、他のフレームでは、共に中央にＳ極を向けて取り付けられる。
【００１５】
このように、本発明の水の磁気処理装置本体１は、永久磁石４が上記のように取り付けられ、また、フレーム２同士が、非透磁性の折り曲げ部材３で結合されている場合は、それぞれは独立した磁石として働くことになる。
【００１６】
本発明の水の磁気処理装置の取り付けは、上記した磁気処理装置本体１と後記の高磁性フレームカバー７を用い、次のようにして行う。すなわち、水道管等を挟み込むように水の磁気処理装置本体１の２つのフレームを動かして行くと、各フレーム２両端のＮ極およびＳ極が引き合い、最終的に図３で示すように緩衝部材５を介して接触し、ロの字型となって水道管を挟み込む。しかしながら、この状態では、各フレーム２が、折り曲げ部材３と緩衝部材５により断ち切られた２つの磁石の状態であって、内側にＮ極が向くよう磁石を取り付けられたフレームの外側はＳ極となり、また、内側にＳ極が向くように磁石を取り付けられたフレームの外側はＮ極となるので、外側に磁力が漏れてしまう。
【００１７】
そこで次に、図４に示すようなフレーム２と同様な高透磁性材料で作製されたフレームカバー（以下、「フレームカバー」という）７を、図５のように水道管を挟み込んだ水の磁気処理装置本体１の、折り曲げ部材３のある角および緩衝部材５で接触している角に装着する。フレームカバー７は、磁気処理装置本体１からの漏洩磁力により、容易にフレーム２上に装着することができる。このフレームカバー７を装着することにより、図３の状態でフレーム２ごとに磁石となっていたものが、１つの磁石となり、その磁極は、内側に向いたＮ極およびＳ極のみとなる。そしてこの結果、フレーム２外側の磁性は消え、漏磁は、極端に少なくなる。
【００１８】
例えば、本発明者がフレームカバー７の効果を、磁束密度の測定により確認した結果は下の通りであり、フレームカバー７の使用によって中心部の磁力が上がり、しかも左右あるいは外周での漏磁が少なくなることが明かである。
【００１９】
【表１】
2005254155.tif 000003
【産業上の利用可能性】
【００２０】
本発明の水の磁気処理装置は、ねじ留めなど煩雑な操作を必要とせず、簡単に、メーターボックス内部などの狭いところに設置できるものである。しかも、フレームカバーを使用したことにより、ほぼ完璧に漏磁を防止できるので、特別な漏磁防止用の器具などを必要としないものである。
【００２１】
従って、家庭において簡単に設置可能であり、磁気処理水を家庭で手軽に得ることができる。
【図面の簡単な説明】
【００２２】
【図１】磁気処理装置本体の平面図
【図２】磁気処理装置本体の斜視図
【図３】磁気処理装置により水道管を挟み込んだ状態を示す図面。図中、（ａ）は正面図、（ｂ）は、ａ−ａ'での断面図
【図４】フレームカバーの斜視図
【図５】磁気処理装置本体で水道管を挟み込み、更にフレームカバーを装着した状態を示す図面。図中、（ａ）は正面図、（ｂ）は、ｂ−ｂ'での断面図
【符号の説明】
【００２３】
１ … … 磁気処理装置本体
２ … … フレーム
３ … … 折り曲げ部材
４ … … 永久磁石
５ … … 緩衝部材
６ … … 水道管
７ … … フレームカバー
【図１】
2005254155.tif 000004
【図２】
2005254155.tif 000005
【図３】
2005254155.tif 000006
【図４】
2005254155.tif 000007
【図５】
2005254155.tif 000008